(57)【要約】【課題】マルチシステムにおいてそれぞれのシステム制御装置に時刻情報を配信するシステム間同期装置が故障した場合に、すぐに他の装置で代替できるようにする。【解決手段】システム間同期装置１０は、システム制御装置に一体に構成されるとともに、時刻情報を維持する時計部１１と、時刻情報配信モードの選択、非選択を受け付ける操作手段１４と、時刻情報配信モードが選択されていれば、時計部が維持している時刻情報を、それぞれのシステム制御装置２０に定期的に配信する時刻情報配信部１２とを備える。【選択図】図１
2013232764.tif 000002
【特許請求の範囲】
【請求項１】
集合住宅用インターホンシステム制御装置に接続されるシステム間同期装置であって、
時刻情報を維持する時計部と、
時刻情報配信モードの選択、非選択を受け付ける操作手段と、
時刻情報配信モードが選択されていれば、時計部が維持している時刻情報を、該システム制御装置と、他のシステム制御装置とに、定期的に配信する時刻情報配信部とを備えるとともに、該システム制御装置に一体に構成される、システム間同期装置。
【請求項２】
請求項１に記載のシステム間同期装置において、
該システム制御装置と、他のシステム制御装置との間で伝送される呼出通話の履歴情報を蓄積するシステム間通信記録部を更に備えた、システム間同期装置。
【請求項３】
複数の集合住宅用インターホンシステム制御装置が相互接続された集合住宅用インターホンマルチシステムにおいて、
それぞれのシステム制御装置は、請求項１または２に記載のシステム間同期装置が一体に構成されていることを特徴とした、集合住宅用インターホンマルチシステム。
【発明の詳細な説明】
【技術分野】
【０００１】
本発明は、マルチシステムとして連携動作する複数の集合住宅用インターホンシステムで時刻情報を同期させる機能を有したシステム間同期装置に関する。
【背景技術】
【０００２】
従来、たとえば特許文献１のように、複数の住棟のそれぞれにインターホンシステムを構築し、それらのシステム制御装置（住棟警報監視盤）にセンター管理装置を接続してマルチシステムを構成することが提案されている。そのようなマルチシステムでは、個々のシステム制御装置は、そのシステム内の呼出通話の履歴を蓄積し、かつセンター管理装置が、システム間の呼出通話の履歴を蓄積する構成とする場合がある。
【先行技術文献】
【特許文献】
【０００３】
【特許文献１】特開2008−054192号公報
【発明の概要】
【発明が解決しようとする課題】
【０００４】
上記のようにそれぞれのシステム制御装置とセンター管理装置とで呼出通話の履歴を蓄積する構成では、マルチシステム全体の時刻情報を同期させる必要がある。これを簡単に実現するため、１台の装置、たとえばセンター管理装置からそれぞれのシステム制御装置に定期的に時刻情報を配信して、それぞれのシステム制御装置で時刻情報を修正させる方法が考えられる。
【０００５】
しかしながら、そのように時刻情報を配信する装置が故障してしまうと、マルチシステム全体の同期がとれなくなる。このときマルチシステム全体としての呼出通話の履歴は時刻情報に一貫性がなくなっているので、このような状態が長引くとセキュリティ上の問題が大きくなってしまう。そこで本発明は、そのような状態になってもすぐに時刻情報の配信が再開できるようにようにしたシステム間同期装置を提供することを目的とする。
【課題を解決するための手段】
【０００６】
本発明によるシステム間同期装置は、時刻情報を維持する時計部と、時刻情報配信モードの選択、非選択を受け付ける操作手段と、時刻情報配信モードが選択されていれば、時計部が維持している時刻情報を、該システム制御装置と、他のシステム制御装置とに、定期的に配信する時刻情報配信部とを備えるとともに、集合住宅用インターホンシステム制御装置に一体に構成される。
【０００７】
前記システム間同期装置は、前記システム制御装置と、他のシステム制御装置との間で伝送される呼出通話の履歴情報を蓄積するシステム間通信記録部を更に備えてもよい。
【０００８】
本発明による集合住宅用インターホンマルチシステムは、複数の集合住宅用インターホンシステム制御装置が相互接続された集合住宅用インターホンマルチシステムにおいて、それぞれのシステム制御装置は、前記システム間同期装置が一体に構成されている。
【発明の効果】
【０００９】
本発明によれば、マルチシステムを構成する複数のシステムの中で、いずれかのシステム間同期装置を時刻情報配信モードに設定して時刻情報を配信させる。このシステム間同期装置が故障した場合は、他システム間同期装置を時刻情報配信モードに新たに設定すれば、時刻情報の配信元が直ちに切り換わるので、マルチシステム全体での同期が保たれる。
【図面の簡単な説明】
【００１０】
【図１】本発明に係る集合住宅用インターホンマルチシステムの概略構成図である。
【図２】システム制御装置の概略構成を示すブロック図である。
【図３】本発明によるシステム間同期装置の概略構成を示すブロック図である。
【図４】集合住宅用インターホンマルチシステムの基本動作の例を示すフロー図である。
【発明を実施するための形態】
【００１１】
図１は、集合住宅の各住棟に設置された複数のシステムをハブ装置２によって相互接続したマルチシステムを示す。それぞれのシステムでは、制御装置２０から主回線６０が導出され、この主回線６０の分岐線にそれぞれの住宅インターホン３０が接続されている。制御装置２０は更に管理室インターホン４０とロビーインターホン５０とが接続されている。なお住宅インターホン３０は住宅情報盤として構成して各種セキュリティセンサを制御し、セキュリティセンサが検出した異常を、警報監視盤として構成した管理人室インターホン４０に送信して、警報監視盤が地区鳴動等のセキュリティ管理を行う構成にも、本発明は適用できる。
【００１２】
それぞれのシステムでは、送信元アドレスと、送信先アドレスとを用いて呼出信号や通話信号が伝送される。具体的な通信プロトコルは特に制限されず独自プロトコルとしてよい。しかしながらその独自プロトコルを上位層として、その下にＴＣＰ／ＵＤＰ層、ＩＰ層、データリンク・物理層からなるプロトコルスタックを構成すれば、通話信号や映像信号の伝送等に既存のインターネット向けの各種技術が簡単に利用できるので好都合である。たとえばインターネットでは、音声や映像を符号化して通信帯域を抑えながらリアルタイム伝送する技術等が利用されている。
【００１３】
通信端末間を接続する主回線６０にはツイストペアケーブル等を用い、１０ＢＡＳＥ−T規格等に従って各種信号を伝送すればよい。以下、ＩＰプロトコルをベースとしたプロトコルによって信号伝送が行われると想定して本発明の実施形態を説明する。
【００１４】
図２に示すように、制御装置２０は、システム内の信号伝送を経由させるハブ２１、システム間の信号伝送を中継するルータ部２２、部屋番号とアドレスとの関連付けを登録管理するアドレス管理部２３、信号伝送を監視して通話履歴を蓄積する通話記録部２４、時計部２５を備える。アドレス管理部２３は、システム内の部屋番号とアドレスとの関連付け情報をロビーインターホン５０に提供する。つまりロビーインターホン５０は、指定された部屋番号を制御装置２０に問い合わせて住宅インターホン３０のアドレスに変換できる。制御装置２０がシステム内のみならずマルチシステム全体の部屋番号とアドレスとの関連付け情報も提供できれば、システム間の信号伝送が容易に実現できる。
【００１５】
図１、図３に示すように、同期装置１０は、それぞれの制御装置２０に一体に構成される装置であって、時計部１１と、現在時刻をそれぞれの制御装置２０に定期的に配信する時刻情報配信部１２と、システム間の信号伝送を監視して通話履歴を蓄積するシステム間通話記憶部１３とを備える。
【００１６】
同期装置１０は、時計部１１に現在時刻を初期設定する等の操作のために操作部１４を備えてもよい。あるいはノート型パソコン等からなるメンテナンス端末３によってリモート操作される構成としてもよい。操作部１４での操作あるいはメンテナンス端末３からのリモート操作によって、同期装置１０は現在時刻の設定や、動作モードの設定、解除等ができる。更に同期装置１０は、マルチシステム全体の部屋番号とアドレスとの関連付け情報を提供するアドレス管理部１５を備えてもよい。同期装置１０はモジュールあるいは拡張回路基板としてまとめて、制御装置２０に簡単に組み込めるようにしておくとよい。なお同期装置１０は、警報監視盤として構成されたそれぞれの制御装置２０から送信されてくるセキュリティ管理情報を蓄積するセンター管理装置を兼用する構成としてもよい。
【００１７】
時計部１１は、バックアップされた電源によって現在時刻を更新維持する。時刻情報配信部１２は、同期装置１０が動作モード（時刻情報配信モード）に設定されていれば、それぞれの制御装置２０に現在時刻を定期的に配信する。それぞれの制御装置２０は、同期装置１０から配信されてくる現在時刻に基づいて、自装置で更新維持している現在時刻を修正し、これによってマルチシステム全体の現在時刻が同期される。一方、同期装置１０は非動作モード（スリープモード）に設定されていれば、現在時刻の更新維持以外の動作を停止すればよい。
【００１８】
すなわち同期装置１０は、動作モードであれば、現在時刻の更新維持と、現在時刻の配信と、システム間の信号伝送の監視と、マルチシステム全体の部屋番号とアドレスとの関連付け情報の提供とを行い、非動作モードでは、現在時刻の更新維持のみを行うとよい。このとき、同期装置１０のいずれか１つのみが動作モードに設定され、他の同期装置１０は非動作モードに設定される。
【００１９】
それぞれの集合住宅用インターホンシステムは、独立して機能する。たとえば第１のシステムのロビーインターホン５０で、第１のシステムの部屋番号を指定した呼出操作がなされると、指定された住宅の住宅インターホン３０に呼出信号が伝送されて呼出音が鳴動する。これに対して、送信先の住宅インターホン３０で応答操作がなされると、ロビーインターホン５０との間で通話信号の伝送が開始され相互通話が可能になる。また住宅インターホン３０と管理人室インターホン４０との間での呼出通話、住宅インターホン３０同士の呼出通話も提供される。通話信号の伝送は一方の終了操作または所定時間の経過によって遮断される。制御装置２０はこのような呼出通話の伝送を監視しており、呼出元、呼出先、通話時刻等の情報を組み合わせて履歴情報として蓄積する。ここで組み合わせられる通話時刻は、その制御装置２０が更新維持している現在時刻によって特定されたものである。
【００２０】
またマルチシステムの中でシステム間の呼出通話も可能である。たとえば第１のシステムのロビーインターホン５０で、第２のシステムの部屋番号を指定した呼出操作がなされたとき、呼出信号や通話信号がシステム間で伝送される。マルチシステム全体の部屋番号とアドレスとの関連付け情報は、制御装置２０が提供しても、動作モードに設定されている同期装置１０が提供してもよい。
【００２１】
システム間の呼出通話は、第１のシステムの制御装置２０、第２のシステムの制御装置２０、動作モードに設定されている同期装置１０によって監視され、それぞれで通話履歴が蓄積される。このときマルチシステム全体で現在時刻が同期されていれば、それぞれの通話履歴の通話時刻が整合するので、それらを照合する際に作業者が混乱しない。
【００２２】
また制御装置２０をメンテナンス等で交換することを考えると、その装置に一体に構成されている同期装置１０が動作モードに設定されていることもあり得る。そのような場合、本発明では、その同期装置１０を非動作モードに変更し、他の同期装置１０のいずれかを動作モードに設定すれよい。そうすれば現在時刻を配信する装置が直ちに切り替えられるので、メンテナンス期間でもマルチシステム全体の現在時刻が同期して保たれる。
【００２３】
また交換作業中に取り外した制御装置２０の代用としてルータ装置（図示なし）を接続して適切に設定すれば、その制御装置２０の管理下にあったロビーインターホン５０は、指定された部屋番号を他の制御装置２０、あるいは動作モードになっている同期装置１０に問い合わせてアドレスに変換できるので、インターホンシステムの基本動作も継続できる。ただしメンテナンス中のシステムでの通話履歴の蓄積やセキュリティ管理はこの限りではない。
【００２４】
図４は、マルチシステムの動作の例として、第１のシステム内でのロビーインターホン５０と住宅インターホン３０との呼出通話と、第１のシステムのロビーインターホン５０と第２のシステムの住宅インターホン３０との呼出通話とを示している。ここで第１のシステムの同期装置１０は動作モードに、第２のシステムの同期装置１０は非動作モードに予め設定されていると想定する。
【００２５】
時刻Ｔ１では、第１のシステムの同期装置１０が、第１のシステムの制御装置２０と、第２のシステムの制御装置２０に現在時刻を配信している。
【００２６】
時刻Ｔ２では、第１のシステムのロビーインターホン５０で呼出操作がなされている。ここで指定された住宅番号は第１のシステム内のものであると想定する。このロビーインターホン５０は、第１のシステムの制御装置２０に住宅番号を問い合わせてアドレスに変換し、呼出信号を第１のシステムの住宅インターホン３０に送信している。第１のシステムの住宅インターホン３０は応答操作がなされて、応答信号がその第１のシステムのロビーインターホン５０に返信され、その後は、第１のシステムのロビーインターホン５０と第１のシステムの住宅インターホン３０との間で通話信号が伝送されている。
【００２７】
時刻Ｔ３では、第１のシステムの制御装置２０が、時刻Ｔ２で開始された呼出通話を履歴として蓄積している。
【００２８】
時刻Ｔ４では、たとえば故障等の理由によって第１のシステムの同期装置１０が非動作モードに変更され、その代替えのために第２のシステムの同期装置１０が動作モードに変更されている。このような動作モードの変更は、手動操作であっても自動操作であってもよい。動作モードとなった同期装置１０は、第１のシステムの制御装置２０と、第２のシステムの制御装置２０に現在時刻を配信している。
【００２９】
時刻Ｔ５では、第１のシステムのロビーインターホン５０で呼出操作がなされている。ここで指定された住宅番号は第２のシステム内のものであると想定する。第１のシステムのロビーインターホン５０は、第１のシステムの制御装置２０に住宅番号を問い合わせて該当なしの回答を受けたため、更に第２のシステムの同期装置１０に住宅番号を問い合わせてアドレスに変換し、呼出信号を第２のシステムの住宅インターホン３０に送信している。第２のシステムの住宅インターホン３０では応答操作がなされて、応答信号が第１のシステムのロビーインターホン５０に返信され、その後は第１のシステムのロビーインターホン５０と第２のシステムの住宅インターホン３０との間で通話信号が伝送されている。
【００３０】
時刻Ｔ６では、第１のシステムの制御装置２０、第２のシステムの制御装置２０、第２のシステムの同期装置１０のそれぞれが、時刻Ｔ５に開始された呼出通話を履歴として蓄積している。
【符号の説明】
【００３１】
１０      システム間同期装置
１１      時計部
１２      時刻情報配信部
１３      システム間通信記録部
１４      操作手段
２０      システム制御装置
【図１】
2013232764.tif 000003
【図２】
2013232764.tif 000004
【図３】
2013232764.tif 000005
【図４】
2013232764.tif 000006